(57)【要約】  【課題】  回動する板状体を用いた紙折器において、すべての折り目をある程度鮮明につけながら、折り目の位置がずれる可能性を少なくすることを課題とする。  【解決手段】  紙折器として、長方形状の板状体からなる基準板と、前記基準板と略同じ形状と大きさを有するシート体もしくは板状体であって、前記基準板の長手方向に沿った一縁に縁部を回動自在に固定され、指入れるための穴又は切り欠きが設けられた第１回動板と、前記基準板と略同じ形状と大きさを有し、長手方向を形成する両縁部は板状体であり両縁部間はシート体もしくは板状体により形成され、前記第１回動板の長手方向に沿った前記基準板と連結していない一縁に縁部を回動自在に固定される第２回動板と、前記基準板と略同じ長さを有する長方形の板状体であって、前記基準板の長手方向に沿った前記第１回動板が連結している一縁に回動自在に固定される第３回動板とを設ける。【選択図】  図１
0003112520.tif 000002
【実用新案登録請求の範囲】
【請求項１】
長方形状の板状体からなる基準板と、
前記基準板と略同じ形状と大きさを有するシート体もしくは板状体により形成され、前記基準板の長手方向に沿った一縁に一縁を回動自在に固定され、指入れるための穴又は切り欠きが設けられた第１回動体と、
前記基準板と略同じ形状と大きさを有し、少なくとも長辺を構成する両縁部が板状体であり、両縁部間はシート体もしくは板状体により形成され、前記第１回動体の長手方向に沿った前記基準板と連結していない縁に一縁を回動自在に固定される第２回動体と、
前記基準板と略同じ長さを有する長方形の板状体であって、前記基準板の長手方向に沿った前記第１回動体が連結している縁に一縁を回動自在に固定される第３回動体と
を有する紙折器。
【請求項２】
前記第１回動体は透明な素材により形成される請求項１に記載の紙折器。
【請求項３】
前記基準板、前記第１回動体、前記第２回動体の内の一つが透明な素材により形成されるとともに、いずれかの主表面に長手方向に垂直に基準となる目盛が表記されている請求項１又は２に記載の紙折器。
【請求項４】
前記基準板、第１回動体、第２回動体の折りたたんだ際に重なるそれそれの短辺を構成する縁には同じ位置に切り欠きが形成されるとともに、この短辺に対向する前記基準板及び第２回動体の短辺に存し、の他の縁と連結していない角部は角が丸く形成されている請求項１から３のいずれか１項に記載の紙折器。
【考案の詳細な説明】
【技術分野】
【０００１】
本考案は、紙に所定の折り目をつけるための器具に関する。
【背景技術】
【０００２】
製図用紙等を所定形状に折る作業は熟練を要し、手間がかかる。また、自動で紙を折る機械もあるが、高価であり大量に製図用紙を折ることがなければ採算が合わない。このような問題を解決する方法として、下記特許文献１、２に、複数の板状体を回動自在に連結し、これに紙を載せて、板状体を回動させることにより紙を折っていく方法が示されている。特許文献１に記載の方法は、平行に並んで連結される複数の板状体に紙を載せ、端部の２枚の板状体で紙を挟んみ、この状態で板状体を紙を挟みながら巻き込んでいくことで紙に折り目をつけるものである。特許文献２に記載の方法は、基準となる板状体の縁部に回動可能に板状体を設け、この上に紙を乗せて、基準となる板状体に向って他の板状体を紙と一緒に折ることで紙に折り目をつけるものである。
【特許文献１】特開平１０−１２９９２５号公報
【特許文献２】特開平１０−１２９９２４号公報
【考案の開示】
【考案が解決しようとする課題】
【０００３】
特許文献１に記載の方法は、板状体を巻いていくために、後の方に位置する紙は２枚以上の板状体を挟んで折り曲げられることになる。しかし、板状体は強度を出すためにある程度の厚さが要求されるのでこのように２枚以上の板状体を挟むとかなりの厚みのあるものを紙が挟みこむことになり折り目を鮮明につけることができないという問題がある。特許文献２に示す方法は、紙を板状体の内側に折り曲げていく方法であり、折り目を鮮明につけることができるが、折り曲げる際に紙が移動しやすく折り目がずれる可能性が高い。
本考案は、かかる問題に鑑みて、回動する板状体を用いた紙折器において、すべての折り目をある程度鮮明につけながら、折り目の位置がずれる可能性を少なくすることを課題とする。
【課題を解決するための手段】
【０００４】
上記課題を解決するために、本考案は次のような構成を有する。
請求項１に記載の発明は、長方形状の板状体からなる基準板と、前記基準板と略同じ形状と大きさを有するシート体もしくは板状体により形成され、前記基準板の長手方向に沿った一縁に一縁を回動自在に固定され、指入れるための穴又は切り欠きが設けられた第１回動体と、前記基準板と略同じ形状と大きさを有し、少なくとも長辺を構成する両縁部が板状体であり、両縁部間はシート体もしくは板状体により形成され、前記第１回動体の長手方向に沿った前記基準板と連結していない縁に一縁を回動自在に固定される第２回動体と、前記基準板と略同じ長さを有する長方形の板状体であって、前記基準板の長手方向に沿った前記第１回動体が連結している縁に一縁を回動自在に固定される第３回動体とを有する紙折器である。
このような構成により、折るべき紙の縁部を基準板と第１回動体の連結部に押し当て、第１回動体の穴もしくは切り欠きから指を入れて紙を基準板に押し付けて固定し、この状態で、第１回動体を基準板の一面に倒し、さらに第２回動体を基準板の他の面に倒し、その後、第３回動体を第２回動体側へ倒すことで紙を折るものである。
請求項２に記載の発明は、前記紙折器において、前記第１回動体は透明な素材により形成されるものである。
請求項３に記載の発明は、前記紙折器において、前記基準板、前記第１回動体、前記第２回動体の内の一つが透明な素材により形成されるとともに、いずれかの主表面に長手方向に垂直に基準となる目盛が表記されているものである。
請求項４に記載の発明は、前記紙折器において、前記基準板、第１回動体、第２回動体の折りたたんだ際に重なるそれぞれの短辺には同じ位置に切り欠きが形成されるとともに、この短辺に対向する前記基準板および第２回動体の短辺に存し、他の縁と連結していない角部は角が丸く形成されているものである。
【考案の効果】
【０００５】
請求項１に記載の考案は、紙の折り目が必ず一枚の基準板もしくは回動板のみを挟むように折られるので、比較的折り目を鮮明に得ることができ、また、基準板もしくは回動板の縁部を基準に折るので、折り目がずれる可能性を低くすることができる。
請求項２に記載の考案は、第１回動体を透明な素材により形成することにより、最初の紙の位置が正しい位置にあることを目視して確認することができるので、より正確に紙を折ることができる。
請求項３に記載の考案は、前記基準板、前記第１回動体、前記第２回動体の内の一つが透明な素材により形成されるとともに、いずれかの主表面に長手方向に垂直に基準となる目盛が表記されることで、透明な板部材を表にして短冊状に折られた紙を挟んで表記された目盛に紙の短辺を構成する縁部を目盛の位置に合わせることができ、基準板もしくは回動板の縁部に沿って折ることで、短冊状に折られた紙を長手方向の所定位置で折り曲げることが可能となる。
請求項４に記載の考案は、切り欠き部分から折りたたんだ紙を手で持って引き抜くことができる。また、短辺の他の縁と連結していない縁に存する角部は、紙の折り目に当たるが角が丸く形成されているので、紙を引き抜く際に、紙を折り目部分で切ってしまうことを防ぐことができる。
【考案を実施するための最良の形態】
【０００６】
以下、本考案の実施形態について、図を参照しながら説明する。図１に本実施形態に係る紙折器Ｘの斜視図を示す。この紙折器は、基準板１０、第１回動体２０、第２回動体３０、第３回動体４０とから構成される。
基準板１０は透明なポリエチレンテレフタレート製の長方形状の板状体からなり、厚さが約０．５ｍｍに形成されている。基準板１０の形状は、折る紙の大きさと折り方により定められる。また、基準板１０の短辺を形成する一縁にはU字状の切り欠き１１が形成され、この短辺に対向する短辺の一方の角部１２は丸く形成されている。
第１回動体２０は、基準板１０と同じ大きさ、形状のシート体であり、ポリプロピレンにより形成される。第１回動体２０の長手方向に沿った一方の縁部は前記基準板１０の長手方向に沿った前記角部１２の無い方の一縁に回動自在に固定されている。ここでは、第１回動体２０と基準板１０との固定方法として、第１回動板２０を形成するポリプロピレンシートを固定する縁部から延長して基準板１０側へ折り曲げ、この折り曲げた部分を両面テープにより基準板１０へ接着固定している。この折り曲げられた部分により基準板１０と第１回動体は互いに回動自在に固定されることになる。また、第１回動体２０の中央の前記基準板１０と連結される縁部には指を通すための穴２２が設けられている。さらに、第１回動体２０の表面には長手方向に垂直な複数の目盛が印刷により表示されている。この目盛は、中央の太い線により描かれる目盛から遠い方の長手方向に垂直な縁部までの距離が特定の紙の短辺方向の２分の１の長さであるなど意味のある長さに設定されている。そして、残りの細い目盛はこの中央の太い目盛からの５ｍｍずつの誤差を示している。また、第１回動体２０を基準板１０に重ねるように折りたたんだ際に、前記基準板１０の短辺に形成される切り欠き１１に重なる部分には同じ形状の切り欠き２４が形成されている。
【０００７】
第２回動体３０は、基準板１０とほぼ同じ大きさ、形状の板状体であり、第１回動体２０の基準板１０と連結していない方の長辺を形成する縁部に回動自在に連結している。第１回動体２０と第２回動体３０との連結は、第１回動体を形成するポリプロピレンシートを連結する縁部から延長して延長部分を第２回動体３０に両面テープにより接着固定することにより行われる。これにより、第１回動体２０と第２回動体３０とは互いに回動自在に固定される。第２回動体３０は第１回動体２０を基準板１０に重ね、さらに、第２回動体を基準板１０に重ねるように折りたたんだ際に、前記基準板１０の短辺に形成される切り欠き１１に重なる部分には同じ形状の切り欠き３１が形成されている。また、第２回動板３０の切り欠き３１が形成されている短辺に対向する短辺の前記第１回動板２０と連結していない角部３２は丸く形成されている。
第３回動体４０は、基準板１０と同じ長さと厚さを有し、幅が基準板１０の３分の1の長方形の板状体であり、基準板１０と同じ材質により形成される。第３回動体４０の長手方向に沿った一方の縁部は前記基準板１０の第１回動体２０が連結されている一縁に回動自在に固定されている。ここでは、第３回動体４０と基準板１０との固定方法としては、基準板１０と同じ長さを有するポリプロピレンの帯状のシートを長手方向の折り目で二つ折りにし、それぞれの面を基準板１０と第３回動板４０に両面テープで接着することで固定している。これにより、第３回動体４０と基準板１０とは互いに回動自在に固定されることになる。
【０００８】
次に以上のような構成を有する紙折器Ｘの使用方法について説明する。まず、紙折器Ｘの機能の一つは紙を断面視Ｚ字状に折ることである。図２を用いて紙折器Ｘにより紙を断面視Ｚ字状に折る手順について説明する。なお、図２は見やすいように紙Pと紙折器Ｘとの隙間を開けているが実際には隙間は存在しない。まず、使用者は図２（ａ）に示すように二点鎖線Ｐにより示される紙の縁部を紙折器Ｘの基準板１０と第１回動体２０との境に当接させる。そして、第１回動体２０の穴２２から親指を通して紙をしっかりと固定する。次に、図２（ｂ）に示すように第１回動体２０を基準板１０上面側に倒して紙Ｐを挟みこむ。そして、図２（ｃ）に示すように、第２回動体３０を紙Ｐを巻き込みながら基準板１０の裏面側に回動させる。それから、図２（ｄ）に示すように第３回動体４０を紙Ｐを巻き込みながら第２回動体３０側へ倒すことで作業は完了する。
【０００９】
紙折器Ｘのもう一つの機能は、折りたたんで短冊状になった紙を所定位置で、さらに長手方向に折りたたむ機能である。まず、短冊状に折りたたまれた紙Ｐを図３に示すように、基準板１０と基準板１０側に倒した第１回動体２０の間に挟みこむ。なお、第２回動体３０、第３回動体４０は裏側に折りたたんでおく。そして、紙Ｐの短い方の一縁を目盛２３にあわせる。ここでは、中央の太い線に合わせると、短冊状に折りたたまれた紙Ｐの長手方向の中央が図３における第１回動体１の上縁に位置するようになっている。この状態で、基準板１０の上縁に紙Ｐを押し付けながら、紙Ｐを折ることで短冊状に折りたたまれた紙は長手方向にさらに半分に折りたたむことができる。
紙折器Ｘのさらにもう一つの機能は、折りたたんで短冊状になった紙を引き抜く機能である。図４において、紙折器Ｘで折りたたんだ紙Ｐを基準板１０の短辺の切り欠き１１、第１回動体２０の短辺の切り欠き２４、第２回動板の短辺の切り欠き３１は重なり、この部分は紙Ｐのみが存するので、この部分を指で持って上方へ引張り挙げると紙Ｐを引き抜くことができる。この際、短冊状になった紙Ｐが紙折器Ｘの長さよりも長く図４のように下方の短辺からはみ出るような場合には、引き抜くことでこのはみ出た部分にも折り目をつけることができる。また、下側の短辺の基準板１０の角部１２と、第２回動体３０の角部３２は折りたたまれた紙の折り目に位置する。もし、この部分が直角の角を有する場合、引き抜くことで紙が破れる場合があるが、角部１２と角部３２は丸くなっているので、紙が破れることはほとんどない。
【００１０】
以上の機能を用いて具体的な紙を折りたたむ場合ついて以下に説明する。まず、図５に示すＡ３の大きさの紙を一点鎖線を山折りに、二点鎖線を谷折りにすることで、Ａ４の大きさ折りたたむ場合を例示する。この場合には、基準板１０の大きさが短辺１０５ｍｍ、長辺３００ｍｍのものを使用する。なお、長辺の長さは２９７ｍｍ以上あればよい。まず、Ａ３の紙の右端を、紙折器Ｘの基準板１０と第１回動体２０との境に当接させ、第１回動体２０を基準板１０上面側に倒して紙Ｐを挟み、第２回動体３０を紙Ｐを巻き込みながら基準板１０の裏面側に回動させ、最後に、第３回動体４０を紙Ｐを巻き込みながら第２回動体３０側へ倒すことで紙に図５に示すような折り目をつけることができる。その後、紙折器Ｘを元の状態に戻して、紙をはずし折り目に沿って折ることでＡ３の大きさの紙をＡ４の大きさに折ることができる。
【００１１】
次に、Ａ１の紙をＪＩＳ規格に示される袋折にする場合を例示する。これは、図６（ａ）で説明すると、折り目Ｐ１、Ｐ３を山折りにし、折り目Ｐ２、Ｐ４を谷折りにすることで図６（ｃ）のような短冊状になったものを、さらに、長手方向中央の折り目Ｐ５を、表題部Ｉが表になるように山折りにする折り方である。これには、基準板１０として短辺の長さが１７０ｍｍ、長辺４００ｍｍのものを使用する。なお、長辺の長さは２９７ｍｍ以上あればよい。また、目盛２３中の中央の太い線により描かれる目盛から第１回動体２０の遠い方の長手方向に垂直な縁部までの距離がＡ１の紙の短辺方向の２分の１の長さである２９７ｍｍに設定されている。まず、基準板１０の長辺の長さがＡ１の紙の短辺より短いので、２回に分けて折り目をつけていく。方法は、紙Ｐの右端の縁部を下の角が基準板１０のやや内側に位置するようにして紙折器Ｘの基準板１０と第１回動体２０との境に当接させ、第１回動体２０を基準板１０上面側に倒して紙Ｐを挟み、第２回動体３０を紙Ｐを巻き込みながら基準板１０の裏面側に回動させる。ここで、一旦、紙折り器Ｘを元の位置に戻し、紙Ｐの右端の縁部を次は上の角が基準板１０のやや内側に位置するようにして紙折器Ｘの基準板１０と第１回動体２０との境に当接させ、同様の操作により、折り目をつける。これにより折り目Ｐ１が形成される。次に、紙Ｐの右端の縁部を下の角が基準板１０のやや内側に位置するように紙折器Ｘの基準板１０と第１回動体２０との境に当接させ、第１回動体２０を基準板１０上面側に倒して紙Ｐを挟み、第２回動体３０を紙Ｐを巻き込みながら基準板１０の裏面側に回動させ、さらに、第３回動体４０を第２回動体３０側に回動させることにより折り目Ｐ２の一部を形成する。この状態で、一旦、第３回動体４０を元に戻し、第２回動体３０を緩めて紙Ｐをずらして上方の縁部が基準板１０の内側に位置するようにし、再び第３回動体４０を第２回動体３０側に回動させることですべての折り目Ｐ２を形成することができる。なお、このように基準板の長手方向よりも長い部分をおる場合に、上記の数回に分けて折る方法が採られるほか、紙の上側で断面視Ｚ状に折り、切り欠き１１、２４、３１から紙をもって上方に引き抜くことで折り目をつける方法を採ることもできる。それから、また、紙折器Ｘを元の位置に戻して紙Ｐを取り外し、形成された折り目Ｐ１とＰ２に沿って折ることで、図６（ｂ）のような状態とする。この状態で再び上記と同じ操作を繰り返すことで、折り目Ｐ３、折り目Ｐ４を形成することができる。折り目Ｐ３、折り目Ｐ４が形成されると紙折器Ｘを元の位置に戻して折り目Ｐ３、Ｐ４に沿って折ることで図６（ｃ）に示すような短冊状に紙Ｐを折ることができる。その後、短冊状になった紙Ｐを図３に示すように基準板１０と第１回動体２０との間に挟みこみ、下縁を太い目盛に合わせて基準板１０の上縁に押し付けながら折ることで折り目Ｐ５をつけることができる。その後、紙折器Ｘを紙Ｐからはずし、折り目Ｐ５で紙を折ることで袋折りが完成する。
【００１２】
さらに、Ａ１の紙をＡ４の大きさに折りたたむ場合について例示する。この場合
は、図７（ ａ）の折り目Ｐ１を山折りにし、折り目Ｐ２を谷折りにして、図７
（ｂ）の状態になったところで、折り目Ｐ３、Ｐ５を山折りにし、折り目Ｐ４、
Ｐ６、Ｐ７を谷折りにすることで、図７（ｅ）のような状態にする折り方であ
る。このためには、大きさの異なる２つの紙折器Ｘを用いる。第１の紙折器Ｘは
短辺の長さが略１４９ｍｍであり、第２の紙折器Ｘは短辺の長さが略１５８ｍｍ
である。まず、第１の紙折器Ｘを用いて、図７（ａ） の状態のＡ１の紙Ｐを図
７（ｂ）の状態に折る。次に、第２の紙折器Ｘを用いて、まず、図７（ｃ）の状
態に折り、さらに、ここから、図７（ｄ） の状態に折る。そして  図面部に綴
じ代用の穴が開かないよう  折り目Ｐ７を手折にて折り  図7(ｅ)のような状態
とすることができる。
【００１３】
なお、上記実施形態で示した紙折り器Ｘの材質は例示であり、薄く形成でき丈夫なものであれば他の合成樹脂や金属板など種々の材料を使用することができる。また、回動板同士や、回動板と基準板との接合も種々の方法を採用することができる。
また、上記実施形態では目盛２３を第１回動体２０に設けたが、基準板１０もしくは第２回動体３０に設けてもよい。また、第１回動体２０に設けられる指を通す穴２２は切り欠きでもよく、位置も指で紙を押さえることができればどのような位置でもよい。
さらに、上記実施形態で示した紙折り器Ｘは、紙に折り目を１回の操作で２箇所に付けることができるが、図８の側面図に示すように、第１回動体２０と第２回動体３０とを連結する縁部に基準板１０と略同じ形状の板状部材もしくは長辺を構成する両縁部のみが板状体で間はシート状の部材３０ａ、３０ｂ…を連結し、また、基準板１０と第３回動体４０とを連結する縁部に基準板１０と略同じ形状の板状部材もしくは長辺を構成する両縁部のみが板状体で間はシート状の部材４０ａ、４０ｂ…を連結していくことで、３以上の折り目をつけていくようにすることも可能である。
【図面の簡単な説明】
【００１４】
【図１】実施形態に係る紙折器を示す斜視図である。
【図２】（ａ）〜（ｄ）は紙折器の使用工程を示す側面図である。
【図３】紙折器の他の使用方法を示す斜視図である。
【図４】紙折器のさらに他の使用方法を示す斜視図である。
【図５】折り曲げられる紙の例を示す正面図である。
【図６】（ａ）は折り曲げられる紙の他の例を示す正面図であり、（ｂ）（ｃ）は（ａ）に示す紙の折り曲げられる途中の状態を示す正面図である。
【図７】（ａ）は折り曲げられる紙のさらに他の例を示す正面図であり、（ｂ）（ｃ）（ｄ）は（ａ）に示す紙の折り曲げられる途中の状態を示す正面図であり、（ｅ）は（ａ）に示す紙が最終的に折りたたまれた状態を示す正面図である。
【図８】紙折器の変形例を示す側面図である。
【符号の説明】
【００１５】
Ｘ    紙折器
１０  基準板
２０  第１回動体
１１、２４、３２  切り欠き
２２  穴
２３  目盛
３０  第２回動体
４０  第３回動体
【図１】
0003112520.tif 000003
【図２】
0003112520.tif 000004
【図３】
0003112520.tif 000005
【図４】
0003112520.tif 000006
【図５】
0003112520.tif 000007
【図６】
0003112520.tif 000008
【図７】
0003112520.tif 000009
【図８】
0003112520.tif 000010